(57)【要約】【課題】  非ＩＰ電話とＩＰ電話が混在したＩＰ電話交換システムにおいて、非ＩＰ電話とＩＰ電話との通話のための音声チャネルが不足した場合でも使い勝手の良いＩＰ電話交換装置およびＩＰ電話端末を提供する。【解決手段】  本発明のＩＰ電話交換装置は、ＩＰ電話端末と非ＩＰ電話端末間で通信接続が確立した際に、使用可能な音声チャネルの有無を検出し、使用可能な音声チャネルが検出されない場合に、発信元および着信先の電話端末に対して音声チャネルが不足していることを通知する。【選択図】      図１
2006197260.tif 000002
【特許請求の範囲】
【請求項１】
ＩＰ網に接続された少なくとも一つのＩＰ電話端末と、非ＩＰ網に接続された少なくとも一つの非ＩＰ電話端末とをそれぞれ接続し、これらＩＰ電話端末と非ＩＰ電話端末間での通話を行わせるＩＰ電話交換装置において、
前記ＩＰ電話端末、或いは前記非ＩＰ電話端末との間でデータ通信を行う通信制御部と、
非ＩＰ音声データとＩＰ音声データとを相互変換する音声チャネルと、
前記ＩＰ電話端末、或いは前記非ＩＰ電話端末との間で着信要求等の呼制御信号の通信を行うための制御チャネルと、
前記呼制御信号に基づいて前記ＩＰ電話端末と前記非ＩＰ電話端末間で通信接続が確立した際に、使用可能な前記音声チャネルの有無を検出し、使用可能な音声チャネルが検出されない場合に、発信元および着信先の電話端末に対して使用可能な音声チャネルが無い旨を通知する音声チャネル管理部と、
を備えたことを特徴とするＩＰ電話交換装置。
【請求項２】
請求項1記載のＩＰ電話交換装置において、前記音声チャネル管理部は、通話の保留指示信号を受信した場合に、使用していた音声チャネルを開放し、保留状態が解除された場合に使用可能な音声チャネルの有無を検出し、使用可能な音声チャネルが検出されない場合に、発信元および着信先の電話端末に対して使用可能な音声チャネルが無い旨を通知することを特徴とするＩＰ電話交換装置。
【請求項３】
請求項1記載のＩＰ電話交換装置において、前記音声チャネル管理部は、使用可能な音声チャネルが無い場合、使用可能な前記音声チャネルの有無を所定時間監視し、所定時間内に使用可能な音声チャネルを捕捉した場合にはその音声チャネルにて前記ＩＰ電話端末と前記非ＩＰ電話端末間で通信される音声データの相互変換を行わせることを特徴とするＩＰ電話交換装置。
【請求項４】
請求項３記載のＩＰ電話交換装置において、発信元の電話端末をボイスメール装置に接続させる手段を備え、前記音声チャネル管理部が所定時間内に使用可能な音声チャネルを捕捉することができない場合に、発信元の電話端末をボイスメール装置に接続させることを特徴とするＩＰ電話交換装置。
【請求項５】
ＩＰ網に接続された少なくとも一つのＩＰ電話端末と、非ＩＰ網に接続された少なくとも一つの非ＩＰ電話端末とをそれぞれ接続し、これらＩＰ電話端末と非ＩＰ電話端末間での通話を行わせるＩＰ電話交換装置において、
前記ＩＰ電話端末、或いは前記非ＩＰ電話端末との間でデータ通信を行う通信制御部と、
非ＩＰ音声データとＩＰ音声データとを相互変換する音声チャネルと、
前記ＩＰ電話端末、或いは前記非ＩＰ電話端末との間で着信要求等の呼制御信号の通信を行うための制御チャネルと、
前記ＩＰ電話端末、或いは前記非ＩＰ電話端末毎に転送先を記憶する転送先記憶手段と、
この制御チャネルによる呼制御信号の通信により、前記ＩＰ電話端末と前記非ＩＰ電話端末間で通信接続が確立した際に、使用可能な音声チャネルの有無を検出し、使用可能な音声チャネルが検出されない場合に、着信先を前記転送先記憶手段に記憶された所定の転送先に転送する音声チャネル管理部と、
を備えたことを特徴とするＩＰ電話交換装置。
【請求項６】
請求項５記載のＩＰ電話交換装置において、前記音声チャネル管理部は、使用可能な音声チャネルが無い場合、使用可能な前記音声チャネルの有無を所定時間監視し、所定時間内に使用可能な音声チャネルを捕捉した場合にはその音声チャネルにて前記ＩＰ電話端末と前記非ＩＰ電話端末間で通信される音声データの相互変換を行わせることを特徴とするＩＰ電話交換装置。
【請求項７】
ＩＰ網に接続すると共に、ＩＰ電話交換装置を介して非ＩＰ網に接続された少なくとも一つの非ＩＰ電話端末と通信を行うＩＰ電話端末において、
前記ＩＰ電話交換装置との間でデータ通信を行う通信制御部と、
非ＩＰ音声データとＩＰ音声データとを相互変換する使用可能な音声チャネルが無い旨を報知する報知手段と、
を備えたことを特徴とするＩＰ電話端末。
【請求項８】
請求項７に記載のＩＰ電話端末において、
前記報知手段により使用可能な音声チャネルが無い旨が報知された後に、発信元からの着信先を予め登録した電話端末に転送指示するための転送釦を設けたことを特徴とするＩＰ電話端末。
【発明の詳細な説明】
【技術分野】
【０００１】
本発明は、ＩＰ電話（Ｉｎｔｅｒｎｅｔ  Ｐｒｏｔｏｃｏｌ  ｔｅｌｅｐｈｏｎｅ）を用いてＩＰネットワーク上で音声データのやり取りを行うためのＩＰ電話交換装置およびＩＰ電話端末に関するものである。
【背景技術】
【０００２】
近年、ＶｏＩＰ（Ｖｏｉｃｅ  ｏｖｅｒ  Ｉｎｔｅｒｎｅｔ  Ｐｒｏｔｏｃｏｌ）技術の目覚しい発展により、電話交換システムの分野においてもＩＰ化が急速に進んでおり、ＩＰ電話端末を収容したＩＰ電話交換装置がこの分野の標準となりつつある。例えば企業等がＩＰ電話交換装置を導入する場合、ＩＰ電話端末用のＩＰネットワークのみで内線網を構築する場合もあるが、その多くは既設の非ＩＰ内線網や、非ＩＰ公衆網とが混在したシステムとなる。このとき、ＩＰ電話端末と非ＩＰ電話端末（または公衆網）との通話を実現するためには、ＩＰ電話交換装置にＩＰ音声データ（ＵＤＰパケット）と非ＩＰ音声データ（例えばＰＣＭ信号）の相互変換が必要になり、この相互変換を行うための音声チャネル、例えばＤＳＰ（Ｄｉｇｉｔａｌ  Ｓｉｇｎａｌ  Ｐｒｏｃｅｓｓｏｒ）が不可欠である。しかし、一般に音声チャネル（ＤＳＰ）は、コスト的な制限等からＩＰ電話交換装置に収容接続されるＩＰ電話端末数に十分な量を実装できない場合がある。通話が集中し、音声チャネルに空きがない場合には音声データのやり取りができず、ＩＰ電話端末の通話が妨げられることになる。
【０００３】
一般的に、通話が何らかの都合により確立できない、例えば着信者が既に通話中などの場合にはビジートーンを返信して発信者に伝えたり、或いは着信者に新たな呼び出しが来ていることを特定の音で知らせ、着信者が通話を新たな着信に切り換えることで通話を切り換えて通話を可能にする方法等がある。（特許文献１参照）
【特許文献１】特開２００４−１８７０８２号公報
【発明の開示】
【発明が解決しようとする課題】
【０００４】
しかしながら、特許文献１に示された方法は、着信先が通話中の場合の動作であり、また着信先が通話を切り換えることにより通話を選択的に確立させることが可能であるが、非ＩＰ電話とＩＰ電話が混在したネットワークにおいて音声チャネルが不足した場合には、音声データをやり取りすることができず、通信接続を確立できたとしても実質的に両者が会話をすることができない。
【０００５】
そこで本発明では、非ＩＰ電話とＩＰ電話が混在したＩＰ電話交換システムにおいて、非ＩＰ電話とＩＰ電話との通話のための音声チャネルが不足した場合でも使い勝手の良いＩＰ電話交換装置およびＩＰ電話端末を提供することを目的とする。
【課題を解決するための手段】
【０００６】
上記目的を達成するために、本発明のＩＰ電話交換装置は、ＩＰ網に接続された少なくとも一つのＩＰ電話端末と、非ＩＰ網に接続された少なくとも一つの非ＩＰ電話端末とをそれぞれ接続し、これらＩＰ電話端末と非ＩＰ電話端末間での通話を行わせるＩＰ電話交換装置において、前記ＩＰ電話端末、或いは前記非ＩＰ電話端末との間でデータ通信を行う通信制御部と、非ＩＰ音声データとＩＰ音声データとを相互変換する音声チャネルと、前記ＩＰ電話端末、或いは前記非ＩＰ電話端末との間で着信要求等の呼制御信号の通信を行うための制御チャネルと、この制御チャネルによる呼制御信号の通信により、前記ＩＰ電話端末と前記非ＩＰ電話端末間で通信接続が確立した際に、使用可能な前記音声チャネルの有無を検出し、使用可能な音声チャネルが検出されない場合に、発信元および着信先の電話端末に対して使用可能な音声チャネルが無い旨を通知する音声チャネル管理部とを備える。
【発明の効果】
【０００７】
本発明によれば、非ＩＰ電話とＩＰ電話が混在したＩＰ電話交換システムにおいて、非ＩＰ電話とＩＰ電話との通話のための音声チャネルが不足した場合でも使い勝手の良いＩＰ電話交換装置およびＩＰ電話端末を提供することができる。
【発明を実施するための最良の形態】
【０００８】
以下、本発明の一実施例であるＩＰ電話交換装置およびＩＰ電話端末について図面を参照しながら説明する。
【実施例１】
【０００９】
以下、図面を参照しながら、本発明の実施例を説明する。
図１は、本実施例のＩＰ電話交換装置およびＩＰ電話端末からなるＩＰ電話交換システムの構成を示す図である。
図１において、ＩＰ電話交換システム１は、ＩＰ電話端末２〜２ｉと、非ＩＰ電話端末３〜３ｉと、これらＩＰ電話端末２および非ＩＰ電話端末３を接続収容するＩＰ電話交換装置４とから主に構成されている。ＩＰ電話端末２〜２ｉは、ＩＰ電話交換装置４とＩＰ内線網５を介して接続されている。またＩＰ内線網５には、ＩＰ電話端末２〜２ｉ用のボイスメール装置６が接続されている。
【００１０】
非ＩＰ電話端末３〜３ｉは、ＩＰ電話交換装置４と非ＩＰ内線網７を介して接続されている。また非ＩＰ内線網７には、非ＩＰ電話端末３〜３ｉ用のボイスメール装置８が接続されている。ＩＰ電話交換装置４は、ＩＰ内線網５、非ＩＰ内線網７および公衆網（ＰＳＴＮ／ＩＳＤＮ）９と接続し、各ネットワークを介してＩＰ電話端末２、非ＩＰ電話端末３および公衆網９間での通信を確立させ、通話を行わせる。また、ＩＰ電話交換装置４には、ＩＰ電話端末２と非ＩＰ電話端末３間で相互にやり取りされる音声データの相互変換、つまりＩＰ音声データ（ＵＤＰパケット）と非ＩＰ音声データ（ＰＣＭデータ）との相互変換を行う複数の音声チャネル（ＤＳＰ）１０と、ＩＰ電話端末２或いは非ＩＰ電話端末３からの着信要求信号や保留指示信号、また転送指示信号などの通信を行うための制御チャネル１１とが備えられている。尚、音声チャネル１０は、ＩＰ電話交換装置４に接続されるＩＰ電話端末２の全個数分は備えられていないものとする。
【００１１】
図２は、ＩＰ電話端末２と、非ＩＰ電話端末３およびＩＰ電話交換装置４をそれぞれ機能ブロックで示したＩＰ電話交換システム１の図である。
図２において、ＩＰ電話端末２は、ＩＰ電話交換装置４との間で呼制御信号やデータの通信を行うための通信制御部２０と、後述するＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）、保留釦、転送釦等の音声チャネルＵＩ（Ｕｓｅｒ  Ｉｎｔｅｒｆａｃｅ）２１と、これらの音声チャネルＵＩ２１の操作信号を処理する音声チャネルＵＩ制御部２２とから構成されている。同様に、非ＩＰ電話端末３も、ＩＰ電話交換装置４との間で呼制御信号やデータの通信を行うための通信制御部３０と、後述するＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）、保留釦、転送釦等の音声チャネルＵＩ（Ｕｓｅｒ  Ｉｎｔｅｒｆａｃｅ）３１と、これらの音声チャネルＵＩ３１の操作信号を処理する音声チャネルＵＩ制御部３２とから構成されている。ＩＰ電話交換装置４は、ＩＰ電話端末２と非ＩＰ電話端末との間で呼制御信号やデータの通信を行う通信制御部４０と、ＩＰ音声データと非ＩＰ音声データとの相互変換を行う音声チャネル１０と、ＩＰ電話端末２或いは非ＩＰ電話端末３からの着信要求信号や保留指示信号、また転送指示信号などの通信を行うための制御チャネル１１と、ＩＰ電話端末２或いは非ＩＰ電話端末３についてそれぞれ個別に設定された着信の転送先を記憶する転送先記憶テーブル４１と、ある電話端末からの着信要求により、ＩＰ電話端末２と非ＩＰ電話端末３間で通信接続が確立した際に、一つの使用可能な音声チャネル１０の有無を検出し、その有無に応じて所定の制御を行う音声チャネル管理部４２とから構成されている。
【００１２】
図３は、ＩＰ電話端末２の外観構成を示す平面図である。図３に示すように、ＩＰ電話端末２は、受話器２３と、ＬＥＤ２４と、ＬＣＤ２５と、ダイヤルキー２６と、保留指示するための保留釦２７と、着信を予め登録した転送先に転送指示するための転送釦２８と、ボイスメール装置に記録されたメッセージを再生させるための再生釦２９とを備えている。尚、図３ではＩＰ電話端末２の構成について説明したが、非ＩＰ電話端末３についても同じ構成を有する。
【００１３】
次に、上記のように構成されたＩＰ電話交換装置４の基本動作について説明する。まず非ＩＰ電話端末３から着信要求信号を制御チャネル１１を介して受信すると、宛先を図示しないテーブル等で判断し、着信要求信号を制御チャネル１１を介して例えば着信要求の宛先のＩＰ電話端末２に送信する。ＩＰ電話端末２はその着信要求信号を受信すると着信鳴動する。ＩＰ電話端末２の受話器２３が上げられ（オフフックされ）ると、発信元の非ＩＰ電話端末３と着信先のＩＰ電話端末２との間で通信接続が確立する。通信接続が確立すると、音声チャネル管理部４２は、使用可能な音声チャネル１０が一つあるか否かを検出する。使用可能な音声チャネル１０があればそれを捕捉し、発信元の非ＩＰ電話端末３と着信先のＩＰ電話端末２との間でＩＰ音声データと非ＩＰ音声データとの相互変換を行い、両者間で音声データのやり取り、つまり通話を行わせる。
【００１４】
また、ＩＰ電話端末２の基本動作について説明する。まず受話器２３を上げ、ダイヤルキー２６により宛先の電話番号を押下すると、宛先電話番号がＩＰ電話交換装置４に送信され、さらに宛先の電話端末に対してその着信要求信号が送信されて着信先の電話端末が鳴動する。着信先の電話端末の受話器が上げられ（オフフックされ）ると、着信先との通信接続が確立し、以降は電話端末同士で音声データによる通話が行われる。通話中に保留釦２７が押下されると、保留指示信号が制御チャネル１１に送信され、ＩＰ電話交換装置４はその通信を保留にすると共に、通話中だった両端末に保留信号を送信する。再度保留釦２７が押下されると、保留解除信号が制御チャネル１１に送信され、ＩＰ電話交換装置４はその保留状態を解除し、通信を再確立させる。ＬＥＤ２４は、通信接続が確立した際、ＩＰ電話交換装置４において音声チャネル１０が捕捉できなかった場合、ＩＰ電話交換装置４の音声チャネル管理部４２よりその旨の通知信号を制御チャネル１１を介して受信した場合に点灯する。また、ＬＣＤ２５は各種操作ガイダンス等を表示するもので、上記通知信号の受信を受け、音声チャネル１０が捕捉できなかった旨の文章、例えば「通話が集中し、音声チャネルが使用できません」等の表示をする。転送釦２８は、ＬＥＤ２４が点灯中、或いはＬＣＤ２５に上記表示「通話が集中し、音声チャネルが使用できません」が表示中に操作されると、その着信を転送先記憶テーブル４１に予め登録記憶された転送先に転送するよう指示する信号をＩＰ電話交換装置４に送信する。転送指示を受けたＩＰ電話交換装置４は、転送先記憶テーブル４１に予め登録記憶された転送先に呼を転送する。この時、予め登録される転送先としては非ＩＰ電話であることが好ましい。つまり、音声データのやり取りの際に音声チャネル１０を必要としない端末を登録しておく。ＩＰ電話端末同士および非ＩＰ電話端末同士であれば音声データを変換する必要がないため、音声チャネル１０を介さず音声データをやり取りすることができる。
【００１５】
次に、非ＩＰ電話端末３とＩＰ電話端末２とが通話する場合で、音声チャネル１０が捕捉できなかった場合の動作について図４のフローチャートを用いて説明する。
まず、非ＩＰ電話端末３より、着信要求信号を受信する（Ｓ４０１）。着信要求信号を受信すると、宛先電話番号より着信先を特定してその宛先のＩＰ電話端末２で着信要求信号を送信する（Ｓ４０２）。着信先のＩＰ電話端末２がオフフックして接続が確立したか否かの検出を行い（Ｓ４０３）、通信接続が確立した場合には使用可能な音声チャネル１０があるか否かを検出する（Ｓ４０４）。使用可能な音声チャネル１０が検出された場合には、その音声チャネル１０を捕捉し、発信元の非ＩＰ電話端末３と着信先のＩＰ電話端末２との音声データのやり取りを行わせる（Ｓ４０５）。ステップ４０４にて、使用可能な音声チャネル１０が捕捉できなかった場合には、音声チャネル１０が捕捉できなかった旨の通知信号を発信元の非ＩＰ電話端末３と着信先のＩＰ電話端末２に送信する（Ｓ４０６）。送信後、所定時間、例えば１５秒が経過したか否かを監視し（Ｓ４０７）、１５秒経過すると発信元の非ＩＰ電話端末３をボイスメール装置８に接続させ、メッセージ録音を促す（Ｓ４０８）。また、１５秒間、使用可能な音声チャネル１０の検出を継続し（Ｓ４０９）、使用可能な音声チャネル１０を検出、捕捉した場合にはステップ４０５へ進み、上述のとおり通話を確立する。
【００１６】
尚、ステップ４０６にて、音声チャネル１０が捕捉できなかった旨の通知信号が発信元の非ＩＰ電話端末３および着信先のＩＰ電話端末２に送信されると、電話端末２，３のそれぞれのＬＥＤ２４が点灯すると共に、ＬＣＤ２５に「通話が集中し、音声チャネルが使用できません」との表示がされる。
【００１７】
このように、着信要求の鳴動により、非ＩＰ電話端末３とＩＰ電話端末２間で通信が確立したにもかかわらず、音声チャネルが足りず、音声データをやり取りできない場合に、発信元、着信先に対してその旨の報知することができるので、発信元および着信先に対してその不自然な状態を理解させ、所定時間後に再度着信要求を促すことが可能となる。また所定時間経過しても音声チャネル１０が捕捉できない場合にはボイスメール装置８へメッセージの登録を促すようにしているため、通話のできなかった着信先のユーザーが所定時間後にメッセージを聞くことが可能となり、発信元が再度着信要求をする必要が無い。
【００１８】
図５は、非ＩＰ電話端末３とＩＰ電話端末２とが通話中に保留釦２７が操作された場合の動作について説明するフローチャート図である。
非ＩＰ電話端末３とＩＰ電話端末２とが通話中に保留釦２７が操作されると（Ｓ５０１）、その通話で使用していた音声チャネル１０を開放し（Ｓ５０２）、発信元の非ＩＰ電話端末３および着信先のＩＰ電話端末２に保留音を送信する（Ｓ５０３）。この保留中に再度保留釦２７が操作され、保留解除の信号を受け取ると（Ｓ５０４）、使用可能な音声チャネル１０があるか否かを検出する（Ｓ５０５）。使用可能な音声チャネル１０が検出された場合には、その音声チャネル１０を捕捉し、発信元の非ＩＰ電話端末３と着信先のＩＰ電話端末２との音声データのやり取りを行わせる（Ｓ５０６）。ステップ５０５にて、使用可能な音声チャネル１０が捕捉できなかった場合には、音声チャネル１０が捕捉できない旨の通知信号を発信元の非ＩＰ電話端末３と着信先のＩＰ電話端末２に送信する（Ｓ５０７）。送信後、所定時間、例えば１５秒が経過したか否かを監視し（Ｓ５０８）、１５秒経過すると発信元の非ＩＰ電話端末３をボイスメール装置８に接続させ、メッセージ録音を促す（Ｓ５０９）。また、１５秒間、使用可能な音声チャネル１０の検出を継続し（Ｓ５１０）、使用可能な音声チャネル１０を検出、捕捉した場合にはステップ５０６へ進み、通話を再度確立する。
【００１９】
このように、非ＩＰ電話端末３とＩＰ電話端末２とが通話中に保留釦２７が操作された場合には、音声チャネル１０を開放することで限られた音声チャネルが無駄に使用される機会を低減し、音声チャネル１０を有効に利用することができる。また、保留解除をした際に、使用可能な音声チャネル１０が無い場合にはその旨通知するようにしたことで、発信元および着信先に対してその不自然な状態を理解させ、所定時間後に再度着信要求等の対応を促すことが可能となる。
【００２０】
次に、本発明の第２の実施例について図６の動作フローチャート図を用いて説明する。図６は、非ＩＰ電話端末３とＩＰ電話端末２とが通話する場合に、音声チャネル１０が捕捉できなかった場合の動作フローチャート図である。
【００２１】
まず、非ＩＰ電話端末３より、着信要求信号を受信する（Ｓ６０１）。着信要求信号を受信すると、宛先電話番号より着信先を特定してその宛先のＩＰ電話端末２で着信要求信号を送信する（Ｓ６０２）。着信先のＩＰ電話端末２がオフフックして接続が確立したか否かの検出を行い（Ｓ６０３）、通信接続が確立した場合には使用可能な音声チャネル１０があるか否かを検出する（Ｓ６０４）。使用可能な音声チャネル１０が検出された場合には、その音声チャネル１０を捕捉し、発信元の非ＩＰ電話端末３と着信先のＩＰ電話端末２との音声データのやり取りを行わせる（Ｓ６０５）。ステップ６０４にて、使用可能な音声チャネル１０が捕捉できなかった場合には、音声チャネル１０が捕捉できなかった旨の通知信号を発信元の非ＩＰ電話端末３と着信先のＩＰ電話端末２に送信する（Ｓ６０６）。送信後、所定時間、例えば１５秒が経過したか否かを監視し（Ｓ６０７）、１５秒経過すると発信元の非ＩＰ電話端末３よりの着信を、転送先記憶テーブル４１に予め登録された転送先電話端末に転送する（Ｓ６０８）。また、１５秒間、使用可能な音声チャネル１０の検出を継続し（Ｓ６０９）、使用可能な音声チャネル１０を検出、捕捉した場合にはステップ６０５へ進み、通話を確立させる。
【００２２】
このように、着信要求の鳴動により、非ＩＰ電話端末３とＩＰ電話端末２間で通信が確立したにもかかわらず、音声チャネルが足りず、音声データをやり取りできない場合に、発信元、着信先に対してその旨の報知することができるので、発信元および着信先に対してその不自然な状態を理解させ、所定時間後に再度着信要求を促すことが可能となる。また所定時間経過しても音声チャネル１０が捕捉できない場合には、予め登録された転送先の電話端末に転送させることができるので、転送先として他の非ＩＰ電話端末を登録しておくことで、音声チャネル１０の必要ない通話が可能となり、発信者が再発信する必要がない。
【００２３】
図７は、非ＩＰ電話端末３とＩＰ電話端末２とが通話する際、音声チャネル１０が捕捉できなかった場合に、その旨を通知すると共に着信先のユーザの操作による転送指示を可能とした場合の動作フローチャート図である。
【００２４】
まず、非ＩＰ電話端末３より、着信要求信号を受信する（Ｓ７０１）。着信要求信号を受信すると、宛先電話番号より着信先を特定してその宛先のＩＰ電話端末２で着信要求信号を送信する（Ｓ７０２）。着信先のＩＰ電話端末２がオフフックして接続が確立したか否かの検出を行い（Ｓ７０３）、通信接続が確立した場合には使用可能な音声チャネル１０があるか否かを検出する（Ｓ７０４）。使用可能な音声チャネル１０が検出された場合には、その音声チャネル１０を捕捉し、発信元の非ＩＰ電話端末３と着信先のＩＰ電話端末２との音声データのやり取りを行わせる（Ｓ７０５）。ステップ７０４にて、使用可能な音声チャネル１０が捕捉できなかった場合には、音声チャネル１０が捕捉できなかった旨の通知信号を発信元の非ＩＰ電話端末３と着信先のＩＰ電話端末２に送信する（Ｓ７０６）。送信後、転送釦２８による転送指示が有るか否かをチェックし（Ｓ７０７）、転送指示を受けた場合には、発信元の非ＩＰ電話端末３よりの着信を、転送先記憶テーブル４１に予め登録された転送先電話端末に転送する（Ｓ７０８）。転送指示を受けていない場合には、使用可能な音声チャネル１０をチェックし（Ｓ７０９）、使用可能な音声チャネル１０を捕捉できた場合にはステップ７０５に進んで通話を開始する。使用可能な音声チャネル１０を捕捉できない場合には、所定時間の経過をチェックして（Ｓ７１０）、所定時間が経過している場合には発信元の非ＩＰ電話端末３をボイスメール装置８に接続させ、メッセージ録音を促す（Ｓ７１１）。
【００２５】
このように、非ＩＰ電話端末３とＩＰ電話端末２とが通話する際、音声チャネル１０が捕捉できなかった場合に、その旨を通知すると共に着信先のユーザの操作により転送指示を可能としたので、着信先のＩＰ電話端末２のユーザの意図に応じて、転送或いはボイスメール装置８への接続を選択切り換えることができ、さらに使い勝手が向上する。
【００２６】
尚、上記の実施例ではいずれも非ＩＰ電話端末３からＩＰ電話端末２に向けて発信する例で説明しているが、ＩＰ電話端末２から非ＩＰ電話端末３に向けて発信する場合でも動作は同様である。
【図面の簡単な説明】
【００２７】
【図１】本発明の実施例１に係るＩＰ電話交換システムの全体構成図である。
【図２】本発明の実施例１に係るＩＰ電話交換システムの全体構成図である。
【図３】本発明の実施例１に係るＩＰ電話端末の外観構成を示す平面図である。
【図４】本発明の実施例１のＩＰ電話交換装置の動作を示すフローチャート図である。
【図５】本発明の実施例１のＩＰ電話交換装置の動作を示すフローチャート図である。
【図６】本発明の実施例２のＩＰ電話交換装置の動作を示すフローチャート図である。
【図７】本発明の実施例２のＩＰ電話交換装置の動作を示すフローチャート図である。
【符号の説明】
【００２８】
１・・・ＩＰ電話交換システム
２・・・ＩＰ電話端末
３・・・非ＩＰ電話端末
４・・・ＩＰ電話交換装置
８・・・ボイスメール装置
１０・・・音声チャネル
１１・・・制御チャネル
２４・・・ＬＥＤ
２５・・・ＬＣＤ
２７・・・保留釦
２８・・・転送釦
４０・・・通信制御部
４１・・・転送先記憶テーブル
４２・・・音声チャネル管理部
【図１】
2006197260.tif 000003
【図２】
2006197260.tif 000004
【図３】
2006197260.tif 000005
【図４】
2006197260.tif 000006
【図５】
2006197260.tif 000007
【図６】
2006197260.tif 000008
【図７】
2006197260.tif 000009